【手続補正書】
【提出日】平成16年6月3日(2004.6.3)
【手続補正１】
【補正対象書類名】明細書
【補正対象項目名】全文
【補正方法】変更
【補正の内容】
【書類名】  明細書
【発明の名称】  ヒートポンプ式風呂給湯システム
【特許請求の範囲】
【請求項１】  圧縮機、凝縮器、大気熱あるいは太陽熱を集熱する蒸発器と、前記蒸発器と並列に設けた熱回収熱交換器と、前記蒸発器および前記熱回収熱交換器へ冷媒の流れを制御する流路制御手段と、貯湯タンク、前記凝縮器と熱交換関係を有する給湯熱交換器を有する給湯回路と、前記熱回収熱交換器と熱交換関係を有する風呂熱交換器を有する風呂回路と、前記流路制御手段を制御する運転制御手段を有するヒートポンプ式風呂給湯システムであって、前記運転制御手段は、前記流路切換え手段を制御して、蒸発器と熱回収交換器のいづれか、または蒸発器かつ熱回収交換器に同時に前記冷媒を流すように流路を切換えることを特徴とするヒートポンプ式風呂給湯システム。
【請求項２】  前記蒸発器での集熱を検出する第１の集熱検出手段と、前記熱回収熱交換器での集熱を検出する第２の集熱検出手段と、前記第１の集熱検出手段および前記第２の集熱検出手段の信号を受けて前記流路制御手段を制御する運転制御手段を有する請求項１記載のヒートポンプ式風呂給湯システム。
【請求項３】  前記風呂回路に風呂ポンプを設け、前記第１の集熱検出手段の信号に基き前記風呂ポンプの流量を制御する流量制御手段を有する請求項１記載のヒートポンプ式風呂給湯システム。
【請求項４】  前記蒸発器近傍に送風機を設け、前記第２の集熱検出手段の信号に基き前記送風機の回転数を制御する送風機制御手段を有する請求項１記載のヒートポンプ式風呂給湯システム。
【請求項５】  前記蒸発器の冷媒入口温度を検出する冷媒温度検出手段と、前記冷媒温度検出手段の信号を受けて流路制御手段を制御する低温運転制御手段を有する請求項１記載のヒートポンプ式風呂給湯システム。
【請求項６】  前記圧縮機の冷媒吐出温度を検出する吐出温度検出手段と、前記吐出温度検出手段の信号を受けて流路制御手段を制御する運転制御手段を有する請求項１記載のヒートポンプ式風呂給湯システム。
【請求項７】  前記熱回収熱交換器単独あるいは前記蒸発器単独で冷媒の蒸発作用をおこなう場合には、運転開始時に所定時間、蒸発器および風呂熱回収熱交換器ともに冷媒が流れないように流路制御手段を制御する運転制御手段を有する請求項１記載のヒートポンプ式風呂給湯システム。
【請求項８】  前記熱回収熱交換器の冷媒入口温度を検出する冷媒回収温度検出手段と、前記冷媒回収温度検出手段の信号を受けて前記風呂ポンプを最大流量に制御するポンプ制御手段を有する請求項１記載のヒートポンプ式風呂給湯システ
ム。
【発明の詳細な説明】
【０００１】
【発明の属する技術分野】
本発明はヒートポンプ式風呂給湯システムに関するものである。
【０００２】
【従来の技術】
従来、この種のヒートポンプは特開平７−７１８３９号公報に示すものがある。以下、従来の技術について図面に基づき説明する。図８は従来のヒートポンプシステムの構成図である。図８において、浴槽廃熱利用給湯運転において、開閉弁５０ａと５０ｄを開放して、廃熱利用熱交換器６を介して浴槽の湯を集熱し、凝縮器２で加熱して貯湯する。
【０００３】
【発明が解決しようとする課題】
しかしながら、従来のヒートポンプシステムでは、浴槽廃熱利用時において、冷媒流量調整弁５１で減圧した冷媒は廃熱利用熱交換器６を高温で流れ、蒸発する。また、その際の冷媒圧力は蒸発温度同等の飽和圧力で動作する。一方、開閉弁５０ｅ、５０ｆが閉状態であるならば大気熱利用熱交換器４内の冷媒は外気温度と同温であるため、冷媒圧力は外気温度同等の飽和圧力となる。従って、冷媒流量調整弁５１で減圧した冷媒は圧力の低い大気熱利用熱交換器４へしだいに溜まり込み、廃熱利用熱交換器６を流れる冷媒循環量は少なくなって性能が低下するとともに圧縮機１のモーター温度および冷媒吐出温度が上昇する。また、開閉弁５０ｅ、５０ｆが開状態の場合においては、冬季の低外気温度に浴槽残湯温度が高い入浴完了直後に集熱運転をおこなえば、大気熱利用熱交換器４を流れる冷媒は外気温度より高温で流れるため、大気へ放熱する。よって、浴槽廃熱と大気熱を同時に集熱できない。
【０００４】
本発明は上記課題を解決するものであり、浴槽廃熱と大気熱を同時集熱あるいは浴槽廃熱を高効率で集熱して、省エネルギー化および集熱量増加を主目的とするものである。
【０００５】
【課題を解決するための手段】
前記課題を解決するため、本発明は、圧縮機、凝縮器、大気熱あるいは太陽熱を集熱する蒸発器と、前記蒸発器と並列に設けた熱回収熱交換器と、前記蒸発器および前記熱回収熱交換器へ冷媒の流れを制御する流路制御手段と、貯湯タンク、前記凝縮器と熱交換関係を有する給湯熱交換器を有する給湯回路と、前記熱回収熱交換器と熱交換関係を有する風呂熱交換器を有する風呂回路と、前記流路制御手段を制御する運転制御手段を有するヒートポンプ式風呂給湯システムであって、前記運転制御手段は、前記流路切換え手段を制御して、蒸発器と熱回収交換器のいづれか、または蒸発器かつ熱回収交換器に同時に前記冷媒を流すように流路を切換えることを特徴とするヒートポンプ式風呂給湯システムである。
【０００６】
また、本発明は、さらに、前記蒸発器での集熱を検出する第１の集熱検出手段と、前記熱回収熱交換器での集熱を検出する第２の集熱検出手段と、前記第１の集熱検出手段および前記第２の集熱検出手段の信号を受けて前記流路制御手段を制御する運転制御手段を有するヒートポンプ式風呂給湯システムである。
【０００７】
以上の構成により、蒸発器および熱回収熱交換器へ冷媒が流れる際に、蒸発器の大気熱集熱を第１の集熱検出手段で、熱回収熱交換器の浴槽残湯集熱を第２の集熱検出手段で検出して、浴槽残湯熱と大気熱を同時に集熱する。また、冬季の低外気温度で入浴完了直後など浴槽残湯温度が高温時に集熱運転をおこなう場合には、蒸発器で大気熱集熱しない場合がある。その際には大気熱集熱しないことを検出して、蒸発器へ冷媒を流さないようにして熱回収熱交換器単独で集熱運転をおこなう。また、夏季など高外気温度時においては、集熱運転時間経過とともに浴槽残湯温度が外気温度よりも低下して、熱回収熱交換器を流れる冷媒が浴槽残湯温度よりも高温になる場合がある。その際には、熱回収熱交換器で浴槽残湯集熱しないことを検出して、熱回収熱交換器へ冷媒を流さないようにして蒸発器で大気熱集熱する。従って、浴槽残湯熱と大気熱を同時に集熱できる場合には、同時集熱して高集熱高効率運転をおこない、同時集熱できない場合には、蒸発器と熱回収熱交換器のいづれか集熱できる熱交換器に冷媒を流すように冷媒流路を切り替えて運転をおこない、集熱量増加と機器の信頼性を向上する。
【０００８】
【発明の実施の形態】
本発明は上記目的を達成するため各請求項記載のような形態によって実施できる。
【０００９】
請求項１記載の発明は、圧縮機、凝縮器、大気熱あるいは太陽熱を集熱する蒸発器と、前記蒸発器と並列に設けた熱回収熱交換器と、前記蒸発器および前記熱回収熱交換器へ冷媒の流れを制御する流路制御手段と、貯湯タンク、前記凝縮器と熱交換関係を有する給湯熱交換器を有する給湯回路と、前記熱回収熱交換器と熱交換関係を有する風呂熱交換器を有する風呂回路と、前記流路制御手段を制御する運転制御手段を有するヒートポンプ式風呂給湯システムであって、前記運転制御手段は、前記流路切換え手段を制御して、蒸発器と熱回収交換器のいづれか、または蒸発器かつ熱回収交換器に同時に前記冷媒を流すように流路を切換えることを特徴とするヒートポンプ式風呂給湯システムである。
【００１０】
また、請求項２記載の発明は、前記蒸発器での集熱を検出する第１の集熱検出手段と、前記熱回収熱交換器での集熱を検出する第２の集熱検出手段と、前記第１の集熱検出手段および前記第２の集熱検出手段の信号を受けて前記流路制御手段を制御する運転制御手段を有する請求項１記載のヒートポンプ式風呂給湯システムである。
【００１１】
そして、本実施の形態によれば、蒸発器および熱回収熱交換器へ冷媒が流れる際に、蒸発器の大気熱集熱を第１の集熱検出手段で検出するとともに、熱回収熱交換器の浴槽残湯集熱を第２の集熱検出手段で検出して、蒸発器と熱回収熱交換器ともに集熱する信号を受けた場合には、浴槽残湯熱と大気熱を同時に集熱する。また、冬季の低外気温度で入浴完了直後など浴槽残湯温度が高温時に集熱運転をおこなう場合には、熱回収熱交換器および蒸発器は高温冷媒が流れるため、蒸発器で大気熱集熱しない場合がある。その際には大気熱集熱しないことを検出して、蒸発器へ冷媒を流さないようにして熱回収熱交換器単独で集熱運転をおこなう。また、夏季など高外気温度時においては、集熱運転時間経過とともに浴槽残湯温度が外気温度よりも低下して、熱回収熱交換器を流れる冷媒が浴槽残湯温度よりも高温になる場合がある。その際には、熱回収熱交換器で浴槽残湯集熱しないことを検出して、熱回収熱交換器へ冷媒を流さないようにして蒸発器で大気熱集熱する。従って、浴槽残湯熱と大気熱を同時に集熱できる場合には、同時集熱して高集熱高効率運転をおこない、同時集熱できない場合には、蒸発器と熱回収熱交換器のいづれか集熱できる熱交換器に冷媒を流すように冷媒流路を切り替えて運転をおこない、集熱量増加と機器の信頼性を向上する。
【００１２】
また、請求項３記載の発明は前述の構成に加え、前記風呂回路に風呂ポンプを設け、前記第１の集熱検出手段の信号に基き前記風呂ポンプの流量を制御する流量制御手段をを備え、大気熱と浴槽残湯熱を同時に集熱する運転において、残湯温度が高いために大気熱集熱できない場合に、風呂ボンプの流量を低下させて熱回収熱交換器および蒸発器を流れる冷媒温度を下げ、大気熱を集熱できるようにする。従って、浴槽残湯熱回収と大気熱を同時集熱するため、蒸発器および熱回収熱交換器の小型化が実現できる。
【００１３】
また、請求項４記載の発明のように前述の構成に加え、前記蒸発器近傍に送風機を設け、前記第２の集熱検出手段の信号に基き前記送風機の回転数を制御する送風機制御手段を備え、大気熱と浴槽残湯熱の同時集熱運転において、残湯温度が低いために浴槽残湯熱を集熱できない場合に、送風機の回転数を下げて、熱回収熱交換器および蒸発器を流れる冷媒温度を下げ、浴槽残湯熱を集熱できるようにする。従って、送風機の回転数制御といった簡単な構成で大気熱利用運転時に浴槽残湯熱も集熱できるようになり、蒸発器の小型化が実現できる。
【００１４】
また、請求項５記載の発明のように前述の構成に加え、前記蒸発器の冷媒入口温度を検出する冷媒温度検出手段と、前記冷媒温度検出手段の信号を受けて流路制御手段を制御する低温運転制御手段をを備え、冬季の大気熱利用運転時において、蒸発器に着霜が生じはじめたことを蒸発器の冷媒入口温度で検出して、熱回収熱交換器にも冷媒を流し、蒸発器および熱回収熱交換器を流れる冷媒温度を上げて、蒸発器表面の霜を融解、または着霜の進行を遅くするため、大気熱と浴槽残湯熱の集熱量が増え、貯湯熱量が増加する。
【００１５】
また、請求項６記載の発明のように前述の構成に加え、前記圧縮機の冷媒吐出温度を検出する吐出温度検出手段と、前記吐出温度検出手段の信号を受けて流路制御手段を制御する運転制御手段を備え、大気熱利用運転時あるいは浴槽残湯熱利用運転時において、圧縮機の冷媒吐出温度が異常上昇したことを検出して、蒸発器および熱回収熱交換器に冷媒を流し、圧縮機の吸入圧力上昇と吐出圧力を低下させて圧縮比を小さくして、冷媒吐出温度を下げるため、圧縮機の耐久性が向上する。
【００１６】
また、請求項７記載の発明のように前述の構成に加え、前記熱回収熱交換器単独あるいは前記蒸発器単独で冷媒の蒸発作用をおこなう場合には、運転開始時に所定時間、蒸発器および風呂熱回収熱交換器ともに冷媒が流れないように流路制御手段を制御する運転制御手段を備え、浴槽残湯熱を利用して運転をおこなう場合において、運転初期に所定時間、流路制御手段を閉状態にして、蒸発器および熱回収熱交換器の内部に溜まった冷媒を圧縮機で回収して、浴槽残湯熱利用運転時に規定冷媒封入量でサイクル循環をおこなうため、性能および機器の信頼性が向上する。
【００１７】
また、請求項８記載の発明のように前述の構成に加え、前記熱回収熱交換器の冷媒入口温度を検出する冷媒回収温度検出手段と、前記冷媒回収温度検出手段の信号を受けて前記風呂ポンプを最大流量に制御するポンプ制御手段を備え、浴槽残湯熱を利用して貯湯運転をおこなう場合において、残湯熱の回収終了を検出して、風呂熱交換器内を風呂ポンプの最大流量で循環させ、風呂熱交換器内のスケールなどを流出する。従って、風呂熱交換器内の目詰まりを防止できるため耐久性が向上する。
【００１８】
【実施例】
以下、本発明の実施例について図面を用いて説明する。なお、従来例および各実施例において、同じ構成、同じ動作をするものについては同一符号を付し、一部説明を省略する。
【００１９】
（実施例１）
図１は本発明の実施例１のヒートポンプ式風呂給湯システムの構成図である。図１において、実線矢印は大気熱あるいは太陽熱を利用する際の冷媒流れ方向を表し、破線は風呂廃熱を利用する際の冷媒流れ方向を表す。
【００２０】
１は圧縮機、２は凝縮器、３は第１の減圧手段、４は蒸発器であり、大気熱あるいは太陽熱を集熱する。５は第２の減圧手段、６は熱回収熱交換器であり、第１の減圧手段３および蒸発器４と並列に設けられている。７は流路制御手段であり、蒸発器４および熱回収熱交換器６への冷媒流れを制御する。８は貯湯タンク、９は給湯熱交換器であり、凝縮器２と熱交換関係を有する。１０は給湯回路であり、貯湯タンク８と給湯熱交換器９からなる。１１は浴槽、１２は風呂熱交換器であり、熱回収熱交換器６と熱交換関係を有する。１３は風呂回路であり、浴槽１１と風呂熱交換器１２からなる。１４は第１の集熱検出手段であり、蒸発器４の冷媒入口温度検出手段１５と外気温度検出手段１６の温度差から蒸発器４での集熱を検出する。１７は第２の集熱検出手段であり、熱回収熱交換器６の冷媒入口温度検出手段１８と風呂温度検出手段１９の温度差から熱回収熱交換器６での集熱を検出する。２０は運転制御手段であり、第１の集熱検出手段１４および第２の集熱検出手段１７の信号を受けて流路制御手段７を制御する。
【００２１】
以上の構成において、その動作、作用について説明する。
【００２２】
風呂廃熱と大気熱を同時集熱する運転において、冬季の低外気温度で入浴直後など浴槽残湯温度が高い場合の運転について述べる。圧縮機１から吐出した冷媒は凝縮器２に流入し、給湯熱交換器９を介して貯湯タンク８の水を加熱する。そして、凝縮液化した冷媒は第１の減圧手段３を通り蒸発器４へ流入する冷媒と、第２の減圧手段５を通り熱回収熱交換器６へ流入する冷媒に別れる。そして、蒸発器４へ流入する冷媒は大気熱あるいは太陽熱を集熱し、熱回収熱交換器６へ流入する冷媒は風呂熱交換器１２を介して浴槽１１の残湯熱を集熱する。そして、第１の集熱検出手段１４は蒸発器温度検出手段１５と外気温度検出手段１６の温度差から蒸発器４での集熱を検出する。また、第２の集熱検出手段１７は熱回収冷媒温度検出手段１８と風呂温度検出手段１９の温度差から熱回収熱交換器６での集熱を検出する。その際に、入浴直後など残湯温度が高い場合には熱回収熱交換器６を流れる冷媒は高温となるため、蒸発器４を流れる冷媒は外気温度よりも高温で流れて、第１の集熱検出手段１４は蒸発器４で集熱しないことを検出する。そして、運転制御手段２０は第１の集熱検出手段１４の信号を受けて、冷媒を蒸発器４へ流さないように流路制御手段７を制御する。そして、集熱運転時間経過とともに浴槽残湯温度が低下して、蒸発器４で集熱できる温度まで熱回収熱交換器６を流れる冷媒温度が低下すると第１の集熱検出手段１４は運転制御手段２０へ信号を送り、冷媒が蒸発器４へも流れるように流路制御手段７を制御する。そして、大気熱および浴槽残湯熱を同時集熱して高効率運転をおこなう。そして、集熱運転を継続して浴槽残湯温度がさらに低下して、熱回収熱交換器６を流れる冷媒が浴槽残湯温度よりも高温になると、第２の集熱検出手段１７は運転制御手段２０へ信号を送り、熱回収熱交換器６へ冷媒を流さないようにして蒸発器４で大気熱集熱をおこなう。従って、浴槽残湯熱と大気熱を同時に集熱できる場合には、同時集熱して高集熱高効率運転をおこない、同時集熱できない場合には、蒸発器と熱回収熱交換器のいづれか集熱できる熱交換器に冷媒を流すように冷媒流路を切り替えて運転をおこない、集熱量増加と機器の信頼性を向上する。
【００２３】
そして、蒸発器４出口と圧縮機１の途中に逆止弁２１を設けて、熱回収熱交換器６から流出した冷媒が蒸発器へ流れ込まないようにすれば、熱回収熱交換器６単独運転時の圧縮機１の耐久性はより向上する。
【００２４】
そして、圧縮機１、凝縮器２、蒸発器４、熱回収熱交換器６を１つのユニットに収納してユニット間の接続レス化をはかれば、冷媒の漏れがなく、移設時の冷媒放出もなくなるため、環境にやさしい機器となる。
【００２５】
（実施例２）
図２は本発明の実施例２のヒートポンプ式風呂給湯システムの構成図である。図２において、２２は風呂ポンプであり、前記風呂回路１３に備えられる。２３は流量制御手段であり、第１の集熱検出手段１４の信号に基き風呂ポンプ２１の流量を制御する。
【００２６】
以上の構成において、その動作、作用について説明する。
【００２７】
大気熱と浴槽残湯熱を同時に集熱する運転において、残湯温度が高いために大気熱集熱できないことを第１の集熱検出手段１４が検出して流量制御手段２３へ信号を送る。そして、流量制御手段２３は風呂ボンプ２１の流量を低下させる制御をおこない、熱回収熱交換器６および蒸発器４を流れる冷媒温度を外気温度よりも下げて、大気熱集熱する。従って、浴槽残湯熱回収と大気熱を同時集熱する運転時間が拡大できるとともに、蒸発器および熱回収熱交換器の小型化が実現できる。
【００２８】
（実施例３）
図３は本発明の実施例３のヒートポンプ式風呂給湯システムの構成図である。図３において、２４は送風機であり、前記蒸発器４に大気熱を強制的に送る。２５は送風機制御手段であり、第２の集熱検出手段１７の信号に基き送風機２４の回転数を制御する。
【００２９】
以上の構成において、その動作、作用について説明する。
【００３０】
大気熱と浴槽残湯熱を同時に集熱する運転において、残湯温度が低いために、浴槽残湯熱を集熱できないことを第２の集熱検出手段１７が検出して流量制御手段２３へ信号を送る。そして、送風機制御手段２５は送風機２４の回転数を下げて、熱回収熱交換器６および蒸発器４を流れる冷媒温度を下げ、浴槽残湯熱を集熱できるようにする。従って、送風機の回転数制御といった簡単な構成で大気熱利用運転時に浴槽残湯熱も集熱できるようになり、蒸発器の小型化が実現できる。
【００３１】
（実施例４）
図４は本発明の実施例４のヒートポンプ式風呂給湯システムの構成図である。図４において、２６は冷媒温度検出手段であり、蒸発器４の冷媒入口温度を検出する。２７は低温運転制御手段であり、冷媒温度検出手段２６の信号を受けて流路制御手段２３を制御する。
【００３２】
以上の構成において、その動作、作用について説明する。
【００３３】
冬季の大気熱利用運転時において、蒸発器４に着霜が生じはじめたことを冷媒温度検出手段２６が検出して、低温運転制御手段２７に信号を送る。そして、低温運転制御手段２７は熱回収熱交換器６に冷媒を流すように流路制御手段２３を制御する。従って、蒸発器４および熱回収熱交換器６を流れる冷媒温度は上昇して、蒸発器表面の霜が融解、または着霜の進行が遅くなるため大気熱と浴槽残湯熱の集熱量は増加して、貯湯熱量が増加する。
【００３４】
（実施例５）
図５は本発明の実施例５のヒートポンプ式風呂給湯システムの構成図である。図５において、２８は吐出温度検出手段であり、圧縮機１の冷媒吐出温度を検出する。２９は運転制御手段であり、吐出温度検出手段２８の信号を受けて流路制御手段２３を制御する。
【００３５】
以上の構成において、その動作、作用について説明する。大気熱利用運転時あるいは浴槽残湯熱利用運転時において、圧縮機１の冷媒吐出温度が異常上昇したことを吐出温度検出手段２８で検出して、運転制御手段２９は蒸発器４および熱回収熱交換器６に冷媒を流し、圧縮機１の吸入圧力を上昇、吐出圧力を低下して圧縮比を小さくする。従って、冷媒吐出温度が下がり、圧縮機の耐久性は向上する。
【００３６】
（実施例６）
図６は本発明の実施例６のヒートポンプ式風呂給湯システムの構成図である。図６において、３０は運転指令手段であり、熱回収熱交換器６単独あるいは蒸発器４単独で冷媒の蒸発作用をおこなう運転信号を発する。３１は運転制御手段であり、運転指令手段３０の信号受けて、所定時間、蒸発器４および熱回収熱交換器６ともに冷媒が流れないように流路制御手段２３を制御する。
【００３７】
以上の構成において、その動作、作用について説明する。
【００３８】
浴槽残湯熱を利用した運転において、運転開始時に圧縮機１を運転するとともに、凝縮器２から蒸発器４および熱回収熱交換器６へ冷媒が流れないように流路制御手段２３を所定時間、閉状態にする。そして、蒸発器４および熱回収熱交換器６内部に溜まった冷媒を圧縮機１で回収して凝縮器２へ流出する。そして、所定時間後に、流路制御手段２３を切り替えて圧縮機１、貯湯タンクの水を加熱する凝縮器２、浴槽残湯熱を集熱する熱回収熱交換器６を冷媒が循環するようにする。次に、大気熱を集熱する運転においては、蒸発器４および熱回収熱交換器６内部に溜まった冷媒を圧縮機１で回収して凝縮器２へ流出した所定時間後に、流路制御手段２２を切り替えて圧縮機１、貯湯タンク８の水を加熱する凝縮器２、大気熱を集熱する蒸発器４を冷媒が循環するようにする。従って、浴槽残湯熱利用運転時および大気熱利用運転時に規定冷媒封入量でサイクル循環をおこなうため、性能および機器の信頼性が向上する。
【００３９】
（実施例７）
図７は本発明の実施例７のヒートポンプ式風呂給湯システムの構成図である。図７において、３２は冷媒回収温度検出手段であり、熱回収熱交換器６の冷媒入口温度を検出する。３３はポンプ制御手段であり、冷媒回収温度検出手段３２の信号を受けて風呂ポンプ２２を最大流量に制御する。
【００４０】
以上の構成において、その動作、作用について説明する。浴槽残湯熱を利用して貯湯運転をおこなう場合において、残湯熱の回収終了を冷媒回収温度検出手段３２で検出して、ポンプ制御手段３３へ信号を送り、ポンプ制御手段３３は風呂ポンプ２２を最大流量で循環させる。そして、風呂熱交換器１２内を最大流速で流して、風呂熱交換器１２内のスケールなどを流出する。従って、風呂熱交換器内の目詰まりを防止でき、耐久性が向上する。尚、冷媒回収温度検出手段３２の代わりに風呂回路に設けた風呂温度検出手段３４で浴槽残湯温度を検出して、ポンプ制御手段３３へ信号を送り、風呂ポンプ２２を最大流量に制御しても同様の効果を得る。
【００４１】
【発明の効果】
以上の説明から明らかのように、本発明のヒートポンプ式風呂システムによれば次の効果を奏する。
【００４２】
浴槽残湯熱と大気熱を同時に集熱できる場合には、同時集熱して高集熱高効率運転をおこない、同時集熱できない場合には、蒸発器と熱回収熱交換器のいづれか集熱できる熱交換器に冷媒を流すように冷媒流路を切り替えて運転をおこない、集熱量増加と機器の信頼性を向上する。
【図面の簡単な説明】
【図１】
本発明の実施例１のヒートポンプ式風呂給湯システムの構成図
【図２】
本発明の実施例２のヒートポンプ式風呂給湯システムの構成図
【図３】
本発明の実施例３のヒートポンプ式風呂給湯システムの構成図
【図４】
本発明の実施例４のヒートポンプ式風呂給湯システムの構成図
【図５】
本発明の実施例５のヒートポンプ式風呂給湯システムの構成図
【図６】
本発明の実施例６のヒートポンプ式風呂給湯システムの構成図
【図７】
本発明の実施例７のヒートポンプ式風呂給湯システムの構成図
【図８】
従来のヒートポンプシステムの構成図
【符号の説明】
１  圧縮機
２  凝縮器
３  第１の減圧手段
４  蒸発器
５  第２の減圧手段
６  熱回収熱交換器
７  流路制御手段
８  貯湯タンク
９  給湯熱交換器
１０  給湯回路
１１  浴槽
１２  風呂熱交換器
１３  風呂回路
１４  第１の集熱検出手段
１５  蒸発器温度検出手段
１６  外気温度検出手段
１７  第２の集熱検出手段
１８  熱回収冷媒温度検出手段
１９  風呂温度検出手段
２０  運転制御手段
２１  逆止弁
２２  風呂ポンプ
２３  流量制御手段
２４  送風機
２５  送風機制御手段
２６  冷媒温度検出手段
２７  低温運転制御手段
２８  吐出温度検出手段
２９  運転制御手段
３０  運転指令手段
３１  運転制御手段
３２  冷媒回収温度検出手段
３３  ポンプ制御手段
３４  風呂温度検出手段